(57)【特許請求の範囲】
【請求項１】
記録予約された番組を特定する予約番組情報を記憶する記憶部と、
記録された各番組からユーザが夫々任意に選択した複数の番組の一括削除を示すユーザの指示に連動し、前記複数の番組に関連する番組を前記予約番組情報から特定し、前記複数の番組に対応する記録データの記録データ削除処理を行うと共に、前記記憶部の予約番組情報から前記特定された番組の情報を削除する削除部と、
前記削除部による前記複数の番組に関連する番組の特定に先立って、記録の開始時間、記録の終了時間、番組の放送チャンネル、番組の放送波の種類、および、番組のタイトルの内の複数の項目が一致することを示す関連条件を、前記複数の番組が互いに満足するか否かを判定する判定部と、
前記削除部による前記特定された番組の情報の削除に先立って、前記特定された番組をユーザに提示する提示部と
を備え、
前記削除部は、
前記関連条件を前記複数の番組が互いに満足する場合に、前記複数の番組に対して前記関連条件を満足する番組を前記予約番組情報から特定し、
前記提示部により提示された番組の削除を示すユーザの指示に応じて前記記憶部の予約番組情報から前記特定された番組の情報を削除する
電子機器
【請求項２】
記録された各番組からユーザが夫々任意に選択した複数の番組の一括削除を示すユーザの指示に連動し、記録の開始時間、記録の終了時間、番組の放送チャンネル、番組の放送波の種類、および、番組のタイトルの内の複数の項目が一致することを示す関連条件を前記複数の番組が互いに満足するか否かを判定し、前記複数の番組が互いに満足する場合に、前記複数の番組に対して前記関連条件を満足する番組を、記憶部に記憶されている記録予約された番組を特定する予約番組情報から特定し、前記複数の番組に対応する記録データの記録データ削除処理を行うと共に、前記記憶部の予約番組情報から前記特定された番組の情報を削除し、
前記特定された番組の情報の削除に先立って、前記特定された番組をユーザに提示し、前記提示された番組の削除を示すユーザの指示に応じて前記記憶部の予約番組情報から前記特定された番組の情報を削除する
ことを含む予約番組削除方法。
【請求項３】
記録された各番組からユーザが夫々任意に選択した複数の番組の一括削除を示すユーザの指示に連動し、記録の開始時間、記録の終了時間、番組の放送チャンネル、番組の放送波の種類、および、番組のタイトルの内の複数の項目が一致することを示す関連条件を前記複数の番組が互いに満足するか否かを判定し、前記複数の番組が互いに満足する場合に、前記複数の番組に対して前記関連条件を満足する番組を、記憶部に記憶されている記録予約された番組を特定する予約番組情報から特定し、前記複数の番組に対応する記録データの記録データ削除処理を行うと共に、前記記憶部の予約番組情報から前記特定された番組の情報を削除し、
前記特定された番組の情報の削除に先立って、前記特定された番組をユーザに提示し、前記提示された番組の削除を示すユーザの指示に応じて前記記憶部の予約番組情報から前記特定された番組の情報を削除する
ことをコンピュータに実行させるための予約番組削除プログラム。
【発明の詳細な説明】
【技術分野】
【０００１】
この明細書に開示された技術は、予約された番組の情報を保持する電子機器、予約された番組の情報を削除する方法、および、予約された番組を削除するプログラムに関する。
【背景技術】
【０００２】
無線もしくは有線で配信される番組、例えば、テレビジョン番組を録画する電子機器が広く知られている。こういった電子機器には、ＤＶＤ(Digital Versatile Disc)レコーダ、ＢＤ(Blu-ray Disc（登録商標）)レコーダ、ハードディスクレコーダなどのレコーダや、テレビチューナを備えたパーソナルコンピュータがある。ユーザはこの電子機器に所望の番組を予約して録画することができる。録画された番組のデータは電子機器に内蔵または挿入された媒体に記録される。
録画された番組のデータを管理する技術が知られている。
【先行技術文献】
【特許文献】
【０００３】
【特許文献１】特開２００９−４４４４２号公報
【発明の概要】
【発明が解決しようとする課題】
【０００４】
前述の電子機器では一旦録画が予約されると、ユーザが自発的に予約をキャンセルしない限りこの予約録画は実行される。一方、番組には各週で配信されたり連日配信されたりする連続した番組がある。こういった番組の録画が一旦予約されたものの、ユーザがこの番組に興味を失った場合、ユーザが自発的にこの予約をキャンセルしない限り連続した番組の録画は実行される。録画された番組のデータは再生されることなく、記録媒体の容量を圧迫する。このような番組は、テレビジョン放送のような映像を配信する番組に限らず、ラジオ放送のような音声を配信する番組もある。このような音声配信を対象にした番組の録音においても、録音データによって記録媒体の容量が圧迫される可能性がある。つまり、配信対象とは無関係に、連続番組の予約記録においては、記録媒体の容量が圧迫される可能性が生じる。
本発明は、番組記録の予約のキャンセルを適時にユーザに促す電子機器、予約番組削除方法および予約番組削除プログラムを提供することを目的とする。
【課題を解決するための手段】
【０００５】
開示の電子機器は、記録予約された番組を特定する予約番組情報を記憶する記憶部と、記録された複数の番組の一括削除を示すユーザの指示に連動し、前記複数の番組に関連する番組を前記予約番組情報から特定し、前記複数の番組に対応する記録データの記録データ削除処理を行うと共に、前記記憶部の予約番組情報から前記特定された番組の情報を削除する削除部とを含む。
【発明の効果】
【０００６】
開示の電子機器、予約番組削除方法および予約番組削除プログラムによれば、番組記録の予約のキャンセルをユーザに対して適時に促すことができる。
【図面の簡単な説明】
【０００７】
【図１】この発明の実施形態にかかる情報処理装置の構成を示すブロック図である。
【図２】この発明の実施形態にかかる情報処理装置の外観を示す図である。
【図３】この発明の実施形態にかかる情報処理装置に保持される予約番組情報を示す図である。
【図４】この発明の実施形態にかかる情報処理装置の機能を説明するための機能ブロック図である。
【図５】この発明の実施形態にかかる情報処理装置の動作を示すフローチャートである。
【図６】この発明の実施形態にかかる情報処理装置の表示部に表示される画面の一例である。
【図７】この発明の実施形態にかかる情報処理装置の表示部に表示される画面の一例である。
【発明を実施するための形態】
【０００８】
以下、図面を参照してこの発明の実施形態を説明する。
【０００９】
この実施形態では、テレビチューナを備えたパーソナルコンピュータなどの情報処理装置に本発明を適用した場合について説明する。先ず、この実施形態にかかる情報処理装置の構成を図１を参照して説明する。
【００１０】
情報処理装置１００はＣＰＵ(Central Processing Unit)１、システムコントローラ２および主記憶装置３を含む。システムコントローラ２にはＣＰＵ１および主記憶装置３が直接接続されている。ＣＰＵ１は主記憶装置３に展開されるＯＳ(Operating System)、ＢＩＯＳ(Basic Input/Output System)、後述のＴＶ(Television)アプリケーション等の各種プログラムを実行する。システムコントローラ２は情報処理装置１００内のデータ入出力管理制御を含むシステム全体の制御を行う。主記憶装置３はいわゆるＲＡＭ(Random Access Memory)などの揮発性のメモリを含む。主記憶装置３は実行されるプログラムの作業領域としても利用される。
【００１１】
情報処理装置１００はさらに、表示部４、ＥＰＲＯＭ(Erasable Programmable Read-Only Memory)５、ＣＭＯＳ(Complementary Metal Oxide Semiconductor)６、電源監視部７、ＨＤＤ(Hard Disk Drive)８、ＣＤ(Compact Disc)／ＤＶＤドライブ９、キーボードコントローラ１０、ＵＳＢ(Universal Serial Bus)コントローラ１１、ＴＶ受信装置１２、および、通信制御部１３を含む。これらの構成要素はバス１４に接続されている。前述のシステムコントローラ２はバス１４を介してこれらの構成要素（表示部４〜通信制御部１３）に接続されている。
【００１２】
表示部４はＬＣＤ(Liquid Crystal Display)等のディスプレイを含む。表示部４はシステムコントローラ２を介してＣＰＵ１から送られる命令に従って各種データの表示を行う。例えば、表示部４は命令に従ってＴＶ受信装置１２を介して受信された番組を表示したり、ＣＤ／ＤＶＤドライブ９に挿入された媒体に記録された画像や動画を表示したりする。なお、表示部４は、不図示の既知のケーブルおよびコネクタを介してバス１４と接続される。ＥＰＲＯＭ５はＥＥＰＲＯＭ(Electrically Erasable Programmable Read-Only Memory)などの不揮発性メモリを含む。ＥＰＲＯＭ５には前述のＢＩＯＳが記憶されている。ＣＭＯＳ６はＳＲＡＭ(Static Random Access Memory)などの揮発性メモリを含む。ＣＭＯＳ６はＢＩＯＳで設定されている各種データを記憶する。電源監視部７は情報処理装置１００に設けられている電源ボタンに対するユーザの操作を検出する。
【００１３】
ＨＤＤ８はハードディスクを記憶媒体として備えている。ＨＤＤ８には後述するＴＶアプリケーション８１、番組スケジュール情報８２、予約番組情報８３および録画番組データ８４が記憶されている。ＣＤ／ＤＶＤドライブ９はＣＤやＤＶＤを装填可能な機構を備え、これらの媒体に対してデータの書き込みや読み出しを行う。
【００１４】
キーボードコントローラ１０はユーザによるキーボードやポインティングデバイスの操作を検出する。この実施形態では、キーボードコントローラ１０にはキーボード１５、マウス１６およびリモートコントローラ１７が接続されている。キーボード１５やマウス１６やリモートコントローラ１７の操作に応じた信号を有線または赤外線等の無線を介してキーボードコントローラ１０は受け取る。特にこの実施形態では、キーボードコントローラ１０とリモートコントローラ１７との間は赤外線での通信が確立される。ユーザはリモートコントローラ１７を使用することで、ＴＶ番組の録画や再生に関連する各種指示を情報処理装置１００に送ることができる。
【００１５】
ＵＳＢコントローラ１１はＵＳＢコネクタに挿入されたＵＳＢメモリに対してデータの書き込みおよび読み出しを行う。ＴＶ受信装置１２はＴＶチューナやＴＶ信号の復調器を含む。ＴＶ受信装置１２にはアンテナ１８が接続される。ＴＶ受信装置１２は放送電波をアンテナ１８から取り込み各チャンネルのＴＶ番組を受信する。ＴＶ受信装置１２はいわゆる電子番組ガイド(EPG: Electronic Program Guide)機能を有する。具体的にはアンテナ１８を介して周期的に番組の放送予定を示す番組スケジュール情報８２を取得する。通信制御部１３にはネットワークドライブなどの外部機器１９が接続されている。外部機器１９はインターネットなどのネットワークに有線または無線で接続されている。通信制御部１３は外部機器１９を介して他の情報処理装置やデータベースと通信を行うことができる。
【００１６】
図２は情報処理装置１００の外観を示す一例である。表示部４、キーボードコントローラ１０の赤外線受信部２１、キーボード１５、マウス１６、リモートコントローラ１７、アンテナ１８および外部機器１９を除いた、図１に示される構成要素は筐体２０内に内蔵される。図２に示されるように、キーボードコントローラ１０の赤外線受信部２１は表示部４のベゼルに備えられている。この赤外線受信部２１によって受信された信号は筐体２０に内蔵されているキーボードコントローラ１０に送られる。筐体２０の前面には装填口２２、挿入口２３および電源ボタン２４が設けられている。ＣＤやＤＶＤなどの記録媒体２５は装填口２２からＣＤ／ＤＶＤドライブ９の機構に装填することができる。ＵＳＢメモリ２６は挿入口２３からＵＳＢコントローラ１１のコネクタに挿入することができる。
【００１７】
次に、情報処理装置１００に備えられる、ＴＶ番組の録画／再生に関連する各種機能について説明する。情報処理装置１００では、受信したＴＶ番組が表示部４に表示され、これによってユーザはＴＶ番組を視聴する。ユーザの指示、もしくは、予め予約された番組（コンテンツ）を示す予約番組情報８３にしたがって、情報処理装置１００は受信したＴＶ番組をＨＤＤ８に蓄積する。情報処理装置１００では、このＨＤＤ８に蓄積されたＴＶ番組をユーザの指示にしたがって再生する。こういった機能は、ＴＶアプリケーション８１を実行するＣＰＵ１、ＴＶアプリケーション８１が展開される主記憶装置３、ＴＶ受信装置１２およびアンテナ１８が単独もしくは協働することで実現される。
【００１８】
次に、ＨＤＤ８に記憶される番組スケジュール情報８２、予約番組情報８３および録画番組データ８４について説明する。番組スケジュール情報８２はチャンネル毎に配信される番組のスケジュールを示す。番組スケジュール情報８２は、地上波アナログ放送、地上波デジタル放送、ＢＳ(broadcasting satellite)放送、ＣＳ(communication satellite)放送、ケーブル放送で受信することができる番組のスケジュールを含む。前述したように、番組スケジュール情報８２は定期的にＴＶ受信装置１２により受信される。本実施形態の番組スケジュール情報８２は、受信された日時から約１週間分先までのスケジュールを含んでいる。
【００１９】
次に、予約番組情報８３を図３を参照して説明する。予約番組情報８３はユーザにより録画が予約された番組を登録する。この実施形態では、登録されるエントリ毎に、番組タイトル名、録画予定日、チャンネル、開始時刻、終了時刻、放送波および画質の各項目の設定が記録される。番組タイトル名は予約される番組のタイトルを先頭から所定文字数だけ示す。録画予定日は番組を録画する（番組が配信される）予定日を示す。チャンネルは番組の配信されるチャンネルを示す。開始時刻はこの番組の録画を開始する時間を示し、終了時刻は録画を終了する時刻を示す。放送波は番組が配信される放送波を示す。画質は録画される番組の画質を示す。この実施形態では「モード１」は最高画質モードを、「モード２」は長時間モードを示す。例えば、第１エントリは番組タイトル名「タイトル１０」という番組の予約が登録されていることを示す。この「タイトル１０」は、ＢＳのチャンネル「ch.１０」で配信される。番組は２０１０年３月１日の１３時００分〜１５時３０分に録画される予定である。画質にはモード１の最高画質モードが設定されている。
【００２０】
録画番組データ８４は番組の録画データである。録画データには番組内容を示すインデックスが付される。情報処理装置１００では、この番組の録画および削除は配信される番組の著作権保護に則って行われる。
【００２１】
次に、この実施形態にかかる機能を図４を参照して説明する。一括削除指示受付部２０１は録画された複数の番組の一括削除を示すユーザの指示を受け付ける。一括削除指示受付部２０１により受け付けられた一括削除指示の内容は番組関係判定部２０２に送られる。
【００２２】
番組関係判定部２０２は、一括削除指示で指定された複数の番組が互いに関連条件を満足するか否かを判定する。この関連条件は、録画の開始時間、録画の終了時間、番組の放送チャンネル、番組の放送波の種類、および、番組のタイトルの内の複数の項目（少なくとも２つの項目）が一致することを意味する。一致する最低項目数や項目間の優先順位は適宜設定することができる。なお、この実施形態では、録画の開始時間および録画の終了時間が一致し、且つ、番組の放送チャンネル、番組の放送波の種類および番組のタイトルの先頭から１０文字、の少なくとも１つが一致した場合、関連条件が満足されたことを意味する。番組関係判定部２０２は、一括削除指示で指定された複数の番組が互いに関連条件を満足する場合、一致する項目とその内容を示す関連情報を関連番組検索部２０３に送る。
【００２３】
なお、番組関係判定部２０２は、一括削除指示で指定された複数の番組の内、互いに関連条件を満足する番組が２つ以上含まれているか否かを判定してもよい。この場合、互いに関連条件を満足する番組の関連情報が関連番組検索部２０３に送られる。番組関係判定部２０２は、一括削除指示で指定された複数の番組に、互いに関連条件を満足する番組を含む組またはグループが複数含まれているか否かを判定してもよい。この場合、各組または各グループで、番組の関連情報が関連番組検索部２０３に送られる。
【００２４】
関連番組検索部２０３は、番組関係判定部２０２から送られる関連情報に基づいて予約番組情報８３への検索を行う。具体的には、関連情報に示される項目とその内容が一致するエントリが予約番組情報８３に含まれている場合、関連番組検索部２０３はエントリの内容を取り出す。例えば、前述した関連条件と同じ条件を満足する番組が予約番組情報８３から取り出される。関連番組検索部２０３は取り出された番組を提示部２０４に通知する。
【００２５】
提示部２０４は、一括削除指示で指定された複数の番組の削除処理と同時に、関連番組検索部２０３により取り出された予約内容を取り消すか否かをユーザに問い合わせる。具体的には、提示部２０４は関連番組検索部２０３から送られたエントリを表示部４の画面に表示し、予約内容を取り消すか否かの指示入力をユーザに促す。提示部２０４は入力された指示内容を削除実行部２０５に送る。
【００２６】
削除実行部２０５は一括削除指示で指定された複数の番組に対応する録画データが再生されないように録画データ削除処理を行う。こういった削除処理と共に、削除実行部２０５は提示部２０４から送られた指示内容にしたがって関連番組検索部２０３により特定されたエントリ、すなわち、関連番組検索部２０３により取り出されたエントリを予約番組情報８３から削除する。提示部２０４から送られた指示内容が、表示された予約内容（エントリ）を取り消さないということを示す場合、削除実行部２０５は前述の録画データ削除処理のみを行う。
【００２７】
説明された各種機能は、ＴＶアプリケーション８１を実行するＣＰＵ１、ＴＶアプリケーション８１が展開される主記憶装置３、表示部４、キーボードコントローラ１０、キーボード１５、マウス１６およびリモートコントローラ１７が協働することで実現される。
次に、この実施形態の情報処理装置１００の動作を図５〜図７を参照して説明する。
【００２８】
先ず、ＣＰＵ１によりＨＤＤ８に記憶されているＴＶアプリケーション８１が実行される。こういった状態の情報処理装置１００では、ユーザは前述したＴＶ番組の各種機能の実行を指示することができる。キーボードコントローラ１０はキーボード１５、マウス１６またはリモートコントローラ１７を介して、ＨＤＤ８に記憶されている録画番組の内の複数番組の一括削除指示を受け付けるとこれをＣＰＵ１に通知する（ステップＳ１０１）。一括削除の指示を受け付けるにあたって、表示部４の画面には例えば図６に示される画面が表示される。ここでは、録画された番組の情報がリスト形式で表示される。ユーザはキーボード１５、マウス１６またはリモートコントローラ１７を操作することで、削除を希望する番組をハイライト表示し、この番組の削除を指示することができる。画面に表示された削除ボタン３０１を選択する（押下する）操作が行われると、ハイライトされた番組に対応して表示されているチェックボックス３０２がマークされる。図６に示される画面では３つの録画番組の削除が指示されている。一括削除を指示する場合、ユーザは一括削除を指示する「すべて削除」ボタン３０３を選択する（押下する）操作を行う。
【００２９】
ＣＰＵ１は一括削除指示で指定された複数の番組の番組情報を抽出し、これらの番組内に関連条件を満足する番組のペアまたはグループがあるか否かを判定する（ステップＳ１０２、Ｓ１０３）。番組情報は、録画の開始時間、録画の終了時間、番組の放送チャンネル、番組の放送波の種類、および、番組のタイトルを含む。例えば、図６で削除が指定された３つの番組の一括削除が指示された場合、これら３つの番組の番組情報が抽出される。その後、これらの３つの番組内に関連条件を満足する番組のペアがあるか否かが判定される。判定にあたっては、先ず、番組間で録画の開始時間および録画の終了時間が一致するか否かが判定される。録画の開始時間および録画の終了時間が一致する場合、さらに、番組の放送チャンネル、番組の放送波の種類および番組のタイトルの先頭から１０文字、の少なくとも１つが一致するか否かが判定される。録画の開始時間および録画の終了時間が一致し、且つ、番組の放送チャンネル、番組の放送波の種類および番組のタイトルの先頭から１０文字、の少なくとも１つが一致した場合、この番組間では関連条件が満足されていると判定される。
【００３０】
図６で削除が指定された３つの番組では、画面に表示されたリストの最上段の番組と第３段目の番組とで録画の開始時間および録画の終了時間が一致する。さらに、番組の放送チャンネル、番組の放送波の種類および番組のタイトルの先頭から１０文字のいずれも一致する。したがって、画面に表示されたリストの最上段の番組と第３段目の番組間では関連条件が満足されていると判断される。
【００３１】
関連条件を満足する番組のペアまたはグループがあると判断された場合（ステップＳ１０３，ＹＥＳ）、ＣＰＵ１はＨＤＤ８に記憶されている予約番組情報８３を取り出す（ステップＳ１０４）。ＣＰＵ１は予約番組情報８３に、前記関連条件を満足する番組のペアまたはグループに関連するエントリがあるか否かを判定する（ステップＳ１０５）。この実施形態では、ステップＳ１０３で関連条件を満足すると判断された番組のペアやグループに対して、同様の関連条件を満足するエントリが予約番組情報８３から検索される。
【００３２】
図６に示される画面に表示されたリストの最上段の番組と第３段目の番組が関連条件を満足すると判定された場合、これらの番組との間で関連条件を満足するエントリが予約番組情報８３から検索される。予約番組情報８３が前述の図３に示される内容である場合、第１エントリ（エントリ１）の番組が取り出される。リストの最上段の番組と第３段目の番組に対して予約番組情報８３の第１エントリは、録画の開始時間および録画の終了時間が一致する。さらに、番組の放送チャンネル、番組の放送波の種類および番組のタイトルの先頭から１０文字のいずれも一致する。
【００３３】
関連条件を満足する番組のペアまたはグループに関連するエントリが予約番組情報８３に含まれている場合（ステップＳ１０５，ＹＥＳ）、予約番組情報８３から取り出されたエントリは表示部４の画面に表示される（ステップＳ１０６）。表示画面には、一括削除指示で指定された番組の削除処理を行うと共に、取り出された番組の予約をキャンセルするか否かの指示を促すメッセージが表示される。このようなメッセージが表示された画面例を図７に示す。画面中央にはウィンドウ３０４が表示される。ウィンドウ３０４内には、ユーザから予約のキャンセルの是非を受け付けるための「はい」ボタンと「いいえ」ボタンが配置される。
【００３４】
取り出された番組の予約をキャンセルする指示をユーザから受け付けた場合（ステップＳ１０７，ＹＥＳ）、ＣＰＵ１は予約番組情報８３からステップＳ１０４で取り出されたエントリを削除する（ステップＳ１０８）。図７に示される画面で「はい」ボタンが押下する指示を受け付けた場合、ＣＰＵ１は第１エントリを削除する。この後、ＣＰＵ１は一括削除指示で指定された番組が再生されないように削除処理を行う（ステップＳ１０９）。前述したように、このような削除処理は番組の内容の著作権保護に則って行われる。図６に示される画面の例では、リストの最上段、第３段および第４段の録画番組の削除処理が実行される。
【００３５】
一括削除指示で指定された番組内に関連条件を満足する番組のペアまたはグループがないと判断された場合（ステップＳ１０３，ＮＯ）、予約番組情報８３から関連したエントリが見つけ出されない場合（ステップＳ１０５，ＮＯ）、もしくは、取り出されたエントリの録画予約をキャンセルしない旨の指示をユーザから受け付けた場合（ステップＳ１０７，ＮＯ）、ＣＰＵ１は一括削除指示で指定された番組が再生されないように削除処理を行う（ステップＳ１０９）。
【００３６】
この後、一括削除指示で指定された複数の番組内に、前述のステップＳ１０３で検出された番組のペアまたはグループ以外に、関連条件を満足するペアまたはグループが含まれているか否かＣＰＵ１は判断する（ステップＳ１１０）。他のペアまたはグループが含まれている場合（ステップＳ１１０，ＹＥＳ）、前述のステップＳ１０５以降の処理が実行される。他のペアまたはグループが含まれていない場合（ステップＳ１１０，ＮＯ）、ＣＰＵ１は一括削除指示の受付に応じた処理を終了する。
以上の処理により、番組録画の予約のキャンセルが適時にユーザに促される。
【００３７】
前述の実施形態では、テレビチューナを備えたパーソナルコンピュータなどの情報処理装置に本発明を適用した場合について説明した。しかしながら、本発明はこのような情報処理装置以外のハードディスクレコーダなどにも適用することができる。すなわち、本発明はパーソナルコンピュータやハードディスクレコーダなどの電子機器に適用することができる。また、前述の実施形態は、テレビジョン放送の連続番組の録画を例示した。しかしながら、本発明は、ラジオ放送の連続番組の録音にも適用することができる。つまり、本発明は、連続番組の記録に適用可能なものである。
【００３８】
外部機器１９はＮＡＳ(Network Attached Storage)などの記憶装置を含んでも良い。この場合、情報処理装置１００はＨＤＤ８に替えて外部機器１９に録画番組データ８４を記憶するようにしても良い。
【００３９】
前述した各種ステップを実行するプログラムを、情報処理プログラムとして提供することができる。このプログラムは、コンピュータシステムにより読み取り可能な記録媒体に記憶させることによって、情報処理装置を構成するコンピュータシステムに実行させることが可能となる。上述した各ステップを実行するプログラムは、図２に示される記録媒体２５やＵＳＢメモリ２６などの可搬型記録媒体に格納されるか、外部機器１９を介して他のコンピュータシステムの記録媒体からダウンロードされる。また、コンピュータシステムに少なくとも情報処理機能を持たせる情報処理プログラムは、コンピュータシステムに入力されてコンパイルされる。このプログラムは、コンピュータシステムを、情報処理装置１００として動作させる。また、このプログラムは、例えば記録媒体２５やＵＳＢメモリ２６などのコンピュータ読み取り可能な記録媒体に格納されていても良い。ここで、コンピュータシステムにより読み取り可能な記録媒体としては、ＲＯＭやＲＡＭ等のコンピュータに内部実装される内部記憶装置、ディスクやフレキシブルディスク、ＤＶＤディスク、光磁気ディスク、ＩＣカード等の可搬型記憶媒体や、コンピュータプログラムを保持するデータベース、或いは、他のコンピュータシステム並びにそのデータベースや、外部機器１９のような通信手段を介して接続されるコンピュータシステムでアクセス可能な各種記録媒体を含む。
【００４０】
本発明は、その精神または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００４１】
１  ＣＰＵ、２  システムコントローラ、３  主記憶装置、４  表示部、５  ＥＰＲＯＭ、６  ＣＭＯＳ、７  電源監視部、８  ＨＤＤ、９  ＣＤ／ＤＶＤドライブ、１０  キーボードコントローラ、１１  ＵＳＢコントローラ、１２  ＴＶ受信装置、１３  通信制御部、１４  バス、１５  キーボード、１６  マウス、１７  リモートコントローラ、１８  アンテナ、１９  外部機器、２０  筐体、２１  赤外線受信部、２２  装填口、２３  挿入口、２４  電源ボタン、２５  記録媒体、２６  ＵＳＢメモリ、８１  ＴＶアプリケーション、８２  番組スケジュール情報、８３  予約番組情報、８４  録画番組データ、１００  情報処理装置、２０１  一括削除指示受付部、２０２  番組関係判定部、２０３  関連番組検索部、２０４  提示部、２０５  削除実行部。
【図１】
0005527409.tif 000002
【図２】
0005527409.tif 000003
【図３】
0005527409.tif 000004
【図４】
0005527409.tif 000005
【図５】
0005527409.tif 000006
【図６】
0005527409.tif 000007
【図７】
0005527409.tif 000008